(57)【要約】【課題】  粉末や顆粒状の人工骨材料を骨欠損部に補填する時に、狙った部位に、周囲への散らばりや脱落なしに、術野の体内の深い部分まで、補填量を制御しながら補填ができる人工骨の補填治具である。【解決手段】  本発明装置は指で押すことで変形可能な材質で作られたインナー部材とアウター部材で構成され、アウター部材には内部と外部を閉鎖する機能を持った部材が設置され、通常は閉鎖されている。人工骨を補填する時に、アウター部材をスライドさせる事により閉鎖機構を押しのけてインナー部材の排出口が外部に突出して、人工骨を外部に排出することができる。また、補填治具の内部に顆粒が詰まった場合、アウター部材の上から指で押すことにより、インナー部材を指でもみほぐすような効果が得られ、インナー部材の内壁面の詰まりを解除できる。これによって人工骨の補填操作が容易に行え、補填作業の確実化と手術時間の短縮が可能な構造となっている。【選択図】図４
2016007518.tif 000002
【特許請求の範囲】
【請求項１】
顆粒状の人工骨材料を患部に補填するための補填治具において、補填治具内に顆粒を充填するための漏斗型の投入口を持ち、漏斗の逆円錐形の本体部分と本体部分から「足」と呼ばれる管状の部分（以降、「管状部」と呼ぶ）への移行する部分の構造において、この管状部の中心軸と漏斗の円錐の母線とのなす角が７０〜８９度であることを特徴とする顆粒状人工骨の補填治具。
【請求項２】
顆粒状の人工骨材料を内部に充填するための補填具でインナー部材とアウター部材の２体で構成され、
インナー部材には人工骨材料を内部に充填させ貯留するための漏斗型の投入口が構成され、漏斗の逆円錐形の本体部分と本体部分から管状の部分（以降、「管状部」と呼ぶ）へ移行しており、
管状部の断面形状は円または多角形で内部に人工骨材料を貯留するための空腔があり、管状部の他方には貯留された人工骨材料を排出するための排出口を持った構造となっており、
アウター部材はインナー部材の管状部とほぼ同じ断面形状を持った筒で、インナー部材よりも若干太く、内部にインナー部材を挿入した状態で軸方向へのスライドが行え、筒の片側端部には充填した顆粒が通れない程度の閉鎖機能を持たせるための構造を有し、その構造がアウター部材の筒の口元周囲を囲むように、幅が５ミリ以下、好ましくは２ミリ以下で、厚みが０．６ミリ以下、好ましくは０．２ミリ以下の薄い短冊状の小片部材が複数枚が取り付けられ、小片部材が筒の中心を向くように曲げられて取り付けられ、各々の小片部材の長さが筒の内接半径の０．６倍以上の長さを持ち、かつアウター部材の口元部を閉鎖する程度に密に設けられていて、
この小片部材は筒の内部から押す力を与えると容易に変形し、あるいは力を弱めると元の形状に復元する弾性を持った材質で作られ、普段は小片部材によって筒形状部が閉鎖された状態であることを特徴とする顆粒状の人工骨の補填治具。
【請求項３】
請求項２の補填治具であって、インナー部材の管状部及びアウター部材の筒形状部の材質が、指で押すことで容易に断面の形状を変化させるができる厚みと剛性を持った材質からなることを特徴とする人工骨材料の補填治具。
【請求項４】
請求項２または請求項３において、インナー部材の管状部及びアウター部材の筒形状部のすべて、あるいは一部が透明の素材で作られ、内部に充填された人工骨材料の内容量や充填状況を外部から目視で確認できることを特徴とする補填治具。
【請求項５】
請求項２または請求項３の補填治具であって、インナー部材の管状部の内接円の直径が２ミリ以上で、インナー部材の管状部とアウター部材の筒形状部の肉厚が０．０１５ミリ以上のプラスチックからなることを特徴とする人工骨材料の補填治具。
【請求項６】
請求項２または請求項３の補填治具であって、インナー部材の管状部の内接円の半径が、漏斗部に近い側と漏斗に遠い側で比較すると、ほぼ同じかあるいは漏斗に遠い側の方が大きいことを特徴とする人工骨材料の補填治具。
【請求項７】
請求項２または請求項３の補填治具であって、インナー部材の管状部の長さと、アウター部材の筒形状部を比較すると、インナー部材の管状部の方が長いことを特徴とする人工骨材料の補填治具。
【発明の詳細な説明】
【技術分野】
【０００１】  本発明は、整形外科手術等において顆粒状の人工骨材料を骨疾患部に補填するための補填治具に関するものである。
【背景技術】
【０００２】  事故や病気などの疾患により骨に欠損部が生じたときの治療として、欠損した骨を修復するためにハイドロキシアパタイト（以降、“ＨＡ”と略す）やβ‐リン酸三カルシウム（以降、“β‐ＴＣＰ”と略す）などの人工骨材料が治療材料として手術に使用されている。【０００３】  これらの手術は主に整形外科医や歯科医によって行われ、疾患部位の状況により適切なサイズで適切な量の顆粒状の人工骨材料を、鋭匙又は医療用のさじ、あるいはスプーン等を用いて、欠損により生じた骨の空隙部へ補填することが行われている。【０００４】  しかし、このような鋭匙などを用いた補填作業では粉末状や顆粒状の人工骨材料が周辺の軟部組織へこぼれ落ち、あるいは散らばり、目的とする部位へ十分に充填されないことで作業性が悪く、円滑な手術の妨げとなっていた。【０００５】  手術中に人工骨材料の粉末や顆粒が、補填を行いたい部分の周囲の軟部組織にこぼれ落ちて付着してしまうと、これを取り除くために生理食塩水を用いて流し取るか、あるいは軟部組織に付着した１粒１粒をピンセットを用いて除去する必要があり、手術時間の増大となっていた。【０００６】  上記の不具合の改善策として金属で作られた図１の（１）のような漏斗状の補填治具を用いる事があるが、漏斗の逆円錐形の本体部分と本体部分から「足」と呼ばれる管状の部分（以降、「管状部」と呼ぶ）への移行部、あるいは管状部の内部で粉末や顆粒がひっかかり詰まりが生じやすく作業性が悪かった。ＨＡ製やβ‐ＴＣＰ製の人工骨は硬度が高く、表面に角があるため漏斗から管状部への移行部あるいは管状部の内壁面に詰まり易く、それによって手術の中断を余儀なくされる。無理に押し込むと顆粒が潰れたり、あるいは管状部の内壁面を削る事となり、削られた漏斗の素材が人工骨材料に混ざり問題となるところである。【０００７】  図１の（２）は漏斗に顆粒を注いだ状態を示す。一般的な漏斗は逆円錐形の傾斜角Ａが小さいため、漏斗の本体部分に注がれた顆粒が、一度に管状部の口元へなだれ込み、その結果、顆粒同士が拮抗し、口元で詰まる現象が生じる。【０００８】  図１の（３）は管状部の中間部で顆粒が詰まった状態を示し、この時の管状部の断面の様子を図２に示す。人工骨はセラミックスであり、顆粒はセラミックスを破砕して作られるのが一般的である。そのため顆粒の外表面には破砕する時に生じた角（エッジ）が微少突起として形作られているのが一般的である。そのため、一旦、管状部のどこかで顆粒の微少突起が管状部内壁にかじり付くと、上方から注がれた顆粒の圧力により、微少突起は更に内壁に押し込まれる状況となり、管状部に詰まった状態となる。この状態では顆粒は管状部の内部に詰まったままとなり、下方向への排出は不能となる。【０００９】  また、股関節手術などのように術野の深い位置に人工骨材料の補填が必要となった場合、必然的に管状部の長い漏斗状の補填具を使用するが、漏斗の本体部分から粉末や顆粒を充填する作業と漏斗の管状部から排出されるタイミングに時間差があるため、手術者が必要とする補填量を正確に制御することが困難であった。
【先行技術文献】
【００１０】  なし
【発明の概要】
【発明が解決しようとする課題】
【００１１】  解決しようとする課題は、人工骨の補填が必要な手術において、顆粒状の人工骨材料を骨欠損部に補填する時に、周囲組織部への散らばりや脱落なしに速やかに狙った場所へ、所望する量を補填することができないことである。【００１２】  また、顆粒状の人工骨材料を補填する時、手術者が適量と考える補填量の制御が行えないことである。
【課題を解決するための手段】
【００１３】  本発明は、顆粒状の人工骨材料を骨欠損部へ補填する時に、狙った部位に、正確に、速やかに、補填量を制御しながら所望する量を補填することを可能とする顆粒状人工骨の補填治具である。【００１４】  補填治具はインナー部材とアウター部材の二つの部材で構成されている。【００１５】  インナー部材の一方は広口部となっており、広口部は漏斗形状を形成しながら広口部の口径よりも径が細い管状部へと逆円錐面でつながっている。この逆円錐面の母線と管状部の中心軸とのなす角度（以降、「傾斜角Ａ」と呼称する）が７０〜８９度で構成され、広口部から投入された顆粒が逆円錐面をゆっくりと滑りながら管状部へと導かれる構造となっており、管状部口元での顆粒の拮抗を防ぐ構造となっている。【００１６】  傾斜角Ａが７０度よりも小さいと、管状部口元で顆粒同士が拮抗し、図１（２）のようになり、詰まりが生じた状態となる。傾斜角Ａが９０度以上だと、広口部から投入された人工骨がその部分に滞留することになり補填操作が行えない。【００１７】  広口部の内接円の直径は補填する人工骨の最大粒径の５〜５０倍とすることで、投入作業が容易となる。【００１８】  インナー部材の管状部は円または多角形の筒形状の空腔となっており、広口部から投入された顆粒を内部に充填することができる。【００１９】  インナー部材の管状部の一部あるいは全部が透明部材で作られており、内部に充填された顆粒の状況を外部から目視で把握することができる。【００２０】  インナー部材の他方は排出口となっており、管状部に充填された顆粒はここから排出される。【００２１】  インナー部材の管状部に顆粒が詰まった場合に、管状部の詰まった部位を外部から指で抑えてもみもみすることで管状部の断面の形が変化し、顆粒の詰まりが開放され、排出を促すことができる構造となっている。このため管状部の材質はプラスチックの場合はＡＢＳ、ポリカーボネート、ポリプロピレン、ポリエチレン、ポリエチレンテレフタレート、ポリスチレン、ポリアミド、ポリ乳酸、塩ビ、等が適切である。【００２２】  管状部の内接円の直径は、補填する顆粒サイズの最大径を包括できる大きさの空腔であることが必要で、最少内接円径は２ミリ以上あった方がよい。それ以下では、内壁面への付着が強く、なかなか落下しにくい。その場合に指で変形可能な厚みを考慮すると、管状部の内接円径が小さい場合は、肉厚はできるだけ薄くする方がよい。結果、管状部の内接円径を２ミリ以上とし、肉厚は０．０１５ミリ以上が適切である。【００２３】  使用頻度の高い顆粒状人工骨材料として最大粒径が８ミリ以下のものが多く使われている。この場合は、管状部の内接円径が最大粒径の２〜１０倍程度で、肉厚は０．０１５ミリ以上１．５ミリ以下のプラスチックからなることが、指による変形可能な厚みを考慮すると、より適切になる。【００２４】  アウター部材も筒状で、内径はインナー部材の外径よりやや大きく作られ、アウター部材の内部にインナー部材が貫通した状態で取り付けられ、軸方向にスライド移動が可能な構造となっている。【００２５】  アウター部材の一部または全部が透明材質で作られており、インナー部材の内部に充填された顆粒の状態が外部から目視で把握���きるようになっている。【００２６】  インナー部材とアウター部材の長さを比較すると、インナー部材の方がアウター部材よりも長く、両者の長さの差がスライドできる範囲となる。【００２７】  歯科での人工骨補填は口腔内への補填となるため、管状部の長さは３０ミリ程度が望ましい。これ以上短いと作業性が落ちる。一方で、人工股関節手術での人工骨補填作業では術野が奥深い部分への補填となるためある程度の長さが必要で、最大で５００ミリ程度となる。そこで、人工骨顆粒補填治具のインナー部材の管状部の長さは３０ミリ以上、５００ミリ以下が適切である。【００２８】  アウター部材の端部の一方はインナー部材を挿入するための開放口となっているが、他方の口元周囲には幅が狭くて薄い可撓性を持った短冊状の小片部材が口元の全周を覆うように複数枚取り付けられ、小片部材の長さはアウター部材の直径の０．５〜２．５倍の長さで、小片部材の幅はインナー部材の直径の２０分の１から３分の１で作られ、枚数はインナー部材の排出口の周囲を囲むに十分な枚数となっている。
これらの複数の小片部材がアウター部材の中心方向に曲げられ、これによってアウター部材の口元を閉鎖する構造となっている。補填する顆粒のサイズにより小片部材の短冊状板材の幅や厚みを決める。例えば顆粒の粒径が０．２〜１．０ミリの場合は小片部材の幅は０．２〜１．０ミリが適切である。顆粒の粒径が１．０〜５．０ミリの場合は小片部材の幅は１．０〜３．０ミリが適切である。顆粒の粒径が５．０ミリ以上の場合は小片部材の幅は２．０〜３．０ミリが適切である。【００２９】  アウター部材もインナー部材と同様に、外部から指で抑えて、断面形状を変化させることができる構造となっている。このためアウター部材の材質はプラスチックの場合はＡＢＳ、ポリカーボネート、ポリプロピレン、ポリエチレン、ポリエチレンテレフタレート、ポリスチレン、ポリアミド、ポリ乳酸、塩ビ、等が適切である。【００３０】  インナー部材の排出口をアウター部材の開放口から挿入し、インナー部材の排出口がアウター部材の小片部材に当接した状態とすることで、インナー部材の排出口が閉鎖された状態となる。【００３１】  この状態でインナー部材の広口を上方に向けて位置させ、広口から顆粒の人工骨を投入し管状部に充填すると、人工骨は重力で下方向に流れ落ちるが、排出口まで届いた時点で、アウター部材に設置された小片部材によってフタの作用が働き通路が塞がられた状態となっているため、排出されることを阻まれ、顆粒はインナー部材の管状部に貯留される。【００３２】  インナー部材の管状部への顆粒の充填量を多くすると、顆粒自身の重さにより、小片部材を押し広げる場合がある。この場合は閉鎖性を良くするために小片部材の板厚を厚くする、小片部材の枚数を増やして二重に設置する、等などにより、閉鎖性を強化することができる。【００３３】  人工骨をインナー部材の管状部に一定量充填した後、補填治具の排出口を補填したい患部の近傍へ誘導する。【００３４】  補填治具の排出口を患部の近傍へ誘導してから、インナー部材の排出口をその位置に保ったままで、アウター部材を上方にスライドさせて引き上げる。【００３５】  アウター部材の小片部材は可撓性があり、その弾性力によって口元を閉鎖しているが、アウター部材を小片部材の弾性力に抗してスライドさせることにより、インナー部材の排出口が小片部材を変形させながら押しのけて外部に突出し、フタが開かれた状態となり人工骨が排出される。【００３６】  その結果、管状部に充填された人工骨が排出口から排出される。【００３７】  所望量の人工骨が補填されたことを確認後、アウター部材を逆の方向へスライドさせて元に戻すことにより、再び通路が塞がれて人工骨の排出が止まる構造となっている。これにより補填量の制御が可能となる。【００３８】  アウター部材の小片部材は板材に限定されず、可撓性を持った細い棒状部材（以降、「ヒゲ」と呼称する）がアウター部材の口元周囲に密接に設置し、中心を向くように曲げた構造であってもよい。ヒゲの材質は可撓性を持った弾性力のある樹脂でＡＢＳ、ポリカーボネート、ポリプロピレン、ポリエチレン、ポリエチレンテレフタレート、ポリスチレン、ポリアミド、ポリ乳酸、塩ビ、等がよい。金属であればステンレス等が良い。【���０３９】  インナー部材の管状部の内壁面に顆粒の角部が引っかかり、その部分に詰まりが生じて排出が止まる場合がある。この場合はアウター部材の外表面を指で抑えてもみもみすることで、図５の（１１）のようにインナー部材の管状部の内面の形を変形させて引っかかりを解除することができる。図５の（１２）はインナー部材管状部の内面形状が変形し、顆粒の角の引っかかりが解除された様子を示した図である。【００４０】  アウター部材もインナー部材も指で押すことにより断面の形状が変化するように剛性を持った薄肉で弾力性のある部材で作られているため、アウター部材の外部から指で押すことにより、インナー部材の管状部にも変形する力が伝わり、指でもみほぐす効果が働き、管状部の内側に引っかかって落ちない顆粒を下方向へ落とすことができる。
【発明の効果】
【００４１】  本発明の顆粒状の人工骨の補填治具は、人工骨材料を補填する部位の周辺組織への散らばりや脱落が無く、狙った部位へ、補填量を制御しながら適量を供給できるため、これらの正確な補填作業により手術時間の短縮が図られる利点がある。
【実施例１】
【００４２】  図３は補填治具の全体図である。左側の（１）はインナー部材で、人工骨材料を内部に投入するための漏斗部と充填された人工骨を内部に貯留するための管状部を備えている。【００４３】  インナー部材の漏斗部の広口は直径４０ミリで、広口部分から１５ミリ程度の深さを持った容器となっており、ここに一時的に顆粒を貯留することができ、底部は逆円錐の形状を持って管状部へ接続されている。この逆円錐面の母線は管状部の中心軸に対し、傾斜角Ａが７５°となっており、ゆるい勾配となっている。【００４４】  実施例１では使用される顆粒のサイズをφ１．５〜４．０とし、インナー部材の材質はＰＰ（ポリプロピレン）とし、管状部の内径はφ９．５で肉厚は０．３ミリである。【００４５】  図３の（６）はアウター部材で、インナー部材を挿入するため筒形状となっており、筒形状部の一方が補填具を手で保持するためのフランジが付いた開放口で、他方の口元周囲に筒を塞ぐように幅が狭くて薄い可撓性を持った短冊状の小片部材が口元の全周を覆うように複数枚が取り付けられている構造となっている。【００４６】  アウター部材の内径はφ１１ミリで、インナー部材を内部に貫通させて円滑にスライドさせることができる太さとなっている。【００４７】  図３の（７）はアウター部材の開放口からインナー部材を貫通させ、使用状態に組み立てた図である。【００４８】  アウター部材をスライドさせるためにインナー部材の管状部はアウター部材の筒形状部よりも長くなっている。【００４９】  図４は使用状態を示している。左側の（８）は漏斗部から人工骨顆粒を充填することで管状部の空腔を満たすが、アウター部材の排出口元に設置された小片部材により排出口が塞がれているため、充填された顆粒がそこから下へ排出されることはない。【００５０】  インナー部材およびアウター部材が透明部材で作られているため、外部から目視によってインナー部材の管状部へ充填された顆粒の充填量や充填状況が把握でき、漏斗部からの投入量の調節を可能とすることができる。【００５１】  管状部に一定量の人工骨が充填された状態で、インナー部材の排出口を補填を行う患部に誘導する。【００５２】  図４の（９）は補填操作を示す図である。インナー部材の排出口を補填部近傍に近づけた後に、インナー部材の排出口の位置を保持した状態で、アウター部材のみを上方向へスライドさせることにより、インナー部材の排出口がアウター部材の小片部材を変形させながら押し広げて、排出口を外部に突出させることができ、これによって排出口から人工骨が排出されて患部へ補填することができる。【００５３】  図５はインナー部材の管状部の内壁面に顆粒がひっかかった場合に引っかかりを解除している図である。顆粒が引っかかっている時に、指でアウター部材の筒形状部をもみほぐすことにより、その動作がインナー部材の管状部にも伝わり、顆粒の引っかかりが内壁面から外れて下に排出されるところを示した図である。【００５４】  図４の（１０）は所望量の人工骨の補填操作が完了した後に排出を停止する図である。補填操作が完了した後に、アウター部材を下方に引き下げることで、インナー部材の排出口がアウター部材の内部に格納され、再度アウター部材の小��部材によって排出口が塞がれ、人工骨の排出が妨げるようになる。【００５５】  補填作業中にアウター部材のスライド操作を行う事で、人工骨の排出量を容易に確実に制御することができる。【００５６】  図６の左図はアウター部材の端部に取り付ける小片部材の展開図である。小片部材は幅２ミリの短冊状で、厚みが０．１５ミリのＰＥＴ（ポリエチレンテレフタレート）の薄板で構成されている。各小片は先端から一定の位置で角度を持って曲げられている。これを小片部材が中心を向くように筒形状に曲げてアウター部材に接合する。あるいはアウター部材と一体で製作しても良い。【００５７】  小片部材の枚数はアウター部材の口元周囲を囲むに十分な枚数となっている。【００５８】  図６の右図は小片部材を筒形状に曲げて、アウター部材に接合した状態を排出口側から見た図である。短冊状の小片部材が渦巻き状に並び、小片部材のすき間は、顆粒が通らない程度の大きさになっている。【００５９】  図６の左図のアウター部材の展開図を見ると、インナー部材とスライドする方向に長穴が開けられている。これはインナー部材の側面に長穴に勘合する凸部（図示していない）があり、このインナー部材の凸部とアウター部材の長穴の勘合によって、スライド動作やスライド量を規制し、ひいてはアウター部材の脱落防止となっている。
【実施例２】
【００６０】  実施例２のアウター部材の小片部材を図７に示す。インナー部材は実施例１と同じ構成であるため、割愛した。【００６１】  小片部材の枚数が多く、アウター部材の口元の周囲を二重に囲めるだけの枚数が取り付けられている。（図示せず）【００６２】  これにより、小片部材同士のすき間が狭くなり閉鎖性は実施例１よりも高くなり、インナー部材に貯留された顆粒が小片部のすき間から漏れ出ることが押さえられる。【００６３】  小片部材の枚数が多い分だけ閉鎖力も高くなり、インナー部材の管状部に顆粒を多く貯留しても、顆粒自身の重さによって小片部材が押し広げられ、外部に排出されることを押さえることができる。
【実施例３】
【００６４】  実施例３のアウター部材の小片部材を図８に示す。インナー部材は実施例１と同じ構成であるが、漏斗部の広口が異形となり、補填具を平面に置いたとき不用意に回転することを防止する形状となっている。【００６５】  実施例３では使用される顆粒のサイズをφ１．５〜４．０とし、インナー部材の材質はＰＰ（ポリプロピレン）とし、管状部の内径はφ９．５で肉厚は０．３ミリである。【００６６】  アウター部材の内径はφ１１ミリで、インナー部材を内部に貫通させて円滑にスライドさせることができる太さとなっている。【００６７】  図８に示されたアウター部材の排出口側の端部に剛性を持った細い棒状の部材（以降、「ヒゲ」と呼称する）が設置されており、各ヒゲはアウター部材の中心に向かうように角度が付けられ曲げられている。【００６８】  ヒゲの形状を図８に示す。材質はナイロン６６で作られ、太さが０．１５ミリ、長さが１６ミリで、ヒゲの先端から１０ミリの位置で４５°に曲げられ、ヒゲの曲げた先端が中心に向くように、アウター部材の口元周囲に取り付けられている。【００６９】  図９はアウター部材の口元にヒゲが取付けられた状態を排出口から見たヒゲの拡大図である。ヒゲは口元の周辺部から中心部に向かって設置されているが、各ヒゲの間隔や長さは、顆粒が通過できない程度の隙間となるように構成されている。従って、各ヒゲのヒゲの太さや長さ、ヒゲの密度、ヒゲとヒゲの隙間は顆粒がヒゲの隙間に捕らえられ、通過できない程度であればよい。この場合、ヒゲをアウター部材の中心を目として渦巻き状に取り付けてもよい。【００７０】  ヒゲの動作及び機能は実施例１と同じである。ヒゲの材質がナイロン６６であり、材質の持つ弾性力により、実施例１と同様に人工骨を排出するときはアウター部材をスライドさせて引き上げることで、人工骨を排出し、アウター部材を元に戻すと、ヒゲも元の状態に戻り排出口が閉鎖される。
【図面の簡単な説明】
【００７１】
【図１】図１は従来例で称された漏斗を示す。
【図２】図２は管状部の内部で顆粒が詰まった状態を示した図である。
【図３】図３の（５）は補填治具のインナー部材を示す。上部に人工骨の投入口として漏斗部があり、投入口から充填された人工骨材料を貯留するための貯留空間となる管状部がある。図３の（６）はアウター部を示し、筒形状部の下部にフタの機能が働く薄板でできた短冊状の小片部材が口元に並べられている。図３の（７）は、インナー部材をアウター部材に挿入した組立図である。
【図４】図４の（８）はインナー部材の漏斗部の投入口から人工骨を充填している図である。アウター部材の小片部材により、充填された人工骨が管状部の下で止まっている。図４の（９）はアウター部材を上方向にスライドさせることで、インナー部材の排出口が小片部材を押し拡げて外部に突出した状態を示した図である。図４の（１０）はアウター部材を元の位置に戻すと、小片部材の変形が戻ることで、排出口を塞いだ図である。
【図５】図５の（１１）はインナー部材の管状部の内壁面に顆粒が詰まった時に、側面からアウター部材を介してインナー部材の管状部を押すことで、詰まりを解除する図である。アウター部材の図は省略してある。図５の（１２）は管状部の断面図で、インナー部材の側面を抑えることで管状部の断面の形が変形し、内壁面に引っかった顆粒の詰まりが解除されることを示した図である。
【図６】図６の左図はアウター部材に取り付けられた小片部材の展開図である。短冊状の薄板で構成されている。アウター部材と一体化される場合もある。図４の右はアウター部材の小片部材を排出口側から見た図である。各小片が渦巻き状に並んでいる。
【図７】図７は小片部材の枚数を多くしたもので、アウター部材の口元に取り付ける小片部材を多くすることができる。
【図８】図８は小片部材を細い棒状（以降、ヒゲと呼称する）にしたものである。素材はナイロン６６で作られ、太さが０．１５ミリで、右端部がアウター部材の中心軸に向けた状態で、左端部がアウター部材の口元の周囲に密に固定されて取付けられる。
【図９】図９はヒゲがアウター部材に取り付けた状態を排出口側から見た図で、各ヒゲ状の小片部材が中心に向けて取り付けられ、ヒゲは内側に曲げられ、アウター部材の口元を塞いでいる図である。
【図１】
2016007518.tif 000003
【図２】
2016007518.tif 000004
【図３】
2016007518.tif 000005
【図４】
2016007518.tif 000006
【図５】
2016007518.tif 000007
【図６】
2016007518.tif 000008
【図７】
2016007518.tif 000009
【図８】
2016007518.tif 000010
【図９】
2016007518.tif 000011
【図１０】
2016007518.tif 000012
【手続補正書】
【提出日】平成26年8月8日(2014.8.8)
【手続補正１】
【補正対象書類名】明細書
【補正対象項目名】００７１
【補正方法】変更
【補正の内容】
【００７１】
【図１】図１は従来例で称された漏斗を示す。
【図２】図２は管状部の内部で顆粒が詰まった状態を示した図である。
【図３】図３の（５）は補填治具のインナー部材を示す。上部に人工骨の投入口として漏斗部があり、投入口から充填された人工骨材料を貯留するための貯留空間となる管状部がある。図３の（６）はアウター部を示し、筒形状部の下部にフタの機能が働く薄板でできた短冊状の小片部材が口元に並べられている。図３の（７）は、インナー部材をアウター部材に挿入した組立図である。
【図４】図４の（８）はインナー部材の漏斗部の投入口から人工骨を充填している図である。アウター部材の小片部材により、充填された人工骨が管状部の下で止まっている。図４の（９）はアウター部材を上方向にスライドさせることで、インナー部材の排出口が小片部材を押し拡げて外部に突出した状態を示した図である。図４の（１０）はアウター部材を元の位置に戻すと、小片部材の変形が戻ることで、排出口を塞いだ図である。
【図５】図５の（１１）はインナー部材の管状部の内壁面に顆粒が詰まった時に、側面からアウター部材を介してインナー部材の管状部を押すことで、詰まりを解除する図である。アウター部材の図は省略してある。図５の（１２）は管状部の断面図で、インナー部材の側面を抑えることで管状部の断面の形が変形し、内壁面に引っかった顆粒の詰まりが解除されることを示した図である。
【図６】図６の左図はアウター部材に取り付けられた小片部材の展開図である。短冊状の薄板で構成されている。アウター部材と一体化される場合もある。図４の右はアウター部材の小片部材を排出口側から見た図である。各小片が渦巻き状に並んでいる。
【図７】図７は小片部材の枚数を多くしたもので、アウター部材の口元に取り付ける小片部材を多くすることができる。
【図８】図８は小片部材を細い棒状（以降、ヒゲと呼称する）にしたものである。素材はナイロン６６で作られ、太さが０．１５ミリで、右端部がアウター部材の中心軸に向けた状態で、左端部がアウター部材の口元の周囲に密に固定されて取付けられる。
【図９】図９はヒゲがアウター部材に取り付けた状態を排出口側から見た図で、各ヒゲ状の小片部材が中心に向けて取り付けられ、ヒゲは内側に曲げられ、アウター部材の口元を塞いでいる図である。
【図１０】図１０はアウター部材の排出部を正面から見た図である。ひげ状の部材が周辺部から中心方向に並んでいる。